【手続補正書】
【提出日】平成15年8月20日(2003.8.20)
【手続補正１】
【補正対象書類名】明細書
【補正対象項目名】全文
【補正方法】変更
【補正の内容】
【発明の名称】トレーニングシューズ用靴底、及びこの靴底を用いたトレーニングシューズ
【特許請求の範囲】
【請求項１】弾性合成ゴム製の靴底の踵後面から底面に至り曲率半径が２乃至６ｃｍの靴底の幅方向に軸線のある２次元曲面部が形成してあり、前記靴底のうち拇指球部下底面層に於いては、その周りの靴底と異なる弾性の弾性体としてあることを特徴とするトレーニングシューズ用靴底。
【請求項２】前記異なる弾性の弾性体は靴底の他の部分より柔らかな弾性体であることを特徴とする請求項１記載のトレーニングシューズ用靴底。
【請求項３】前記靴底の拇指球部下においては、外方に滑らかな半球乃至円錐台形、横断方向の半円柱形のうちの一種の形状の隆起部が形成してあることを特徴とする請求項１、２又は３記載のトレーニングシューズ用靴底。
【請求項４】前記靴底全体は合成ゴム製であって、前記踵部前半乃至土踏まず部に第１の空洞がまた拇指球部下より爪先部にわたり第２の空洞が形成してあり、これら二つの第１及び第２の空洞は断面積が狭く変形した少なくとも一つのくびれ連通路で連通させてあり、これら第１及び第２の空洞内には、流体、常温可塑材、泥状材の一種が封入してあることを特徴とする請求項１、２又は３記載のトレーニングシューズ用靴底。
【請求項５】前記靴底と前記弾性体は別部材で形成してあり、これらは相対的に着脱可能に設けたことを特徴とする請求項１、２、３又は４記載のトレーニングシューズ用靴底。
【請求項６】前記靴底と一体乃至別部材よりなる前記弾性体は合成ゴム、合成ゴムスポンジ、内部に空洞を設けた空気バネ型の合成ゴム、内部に金属製乃至合成樹脂製のバネを入れた合成ゴムのうちの一種、内部に金属製乃至合成樹脂製のバネをサンドイッチ型に装填した合成樹脂成形品のうちの一種であることを特徴とする請求項１、２、３、４又は５記載のトレーニングシューズ用靴底。
【請求項７】前記着脱可能な別部材よりなる弾性体は耐変形圧力の異なるものが一足の靴底に対し、２組み以上組合せてあることを特徴とする請求項５記載のトレーニングシューズ用靴底。
【請求項８】前記着脱可能な別部材よりなる弾性体は重さの異なるものが一足の靴底に対し、２組み以上組合せてあることを特徴とする請求項５記載のトレーニングシューズ用靴底。
【請求項９】前記靴底の拇指球部下を空洞の空気室とし、所定衝撃的荷重以上の圧力により空気室中の空気が外部に吐出する吐出口を設け、この吐出口に前記吐出空気流により吹鳴される笛によって構成してあり、前記空気室には前記吐出口と別個の逆止弁付きの吸気口が設けてあることを特徴とする請求項１、２、３、４、５、６、７、又は８記載のトレーニングシューズ用靴底。
【請求項１０】請求項１、２、３、４、５、６、７、８、又は９記載のトレーニングシューズ底を用いたトレーニングシューズ。
【請求項１１】弾性合成ゴム製の靴底を有し、靴底の拇指球部下の底面部はそれを取り囲む周りの靴底底面部と異なる弾性を有する弾性体で構成されてなることを特徴とするトレーニングシューズ。
【発明の詳細な説明】
【０００１】
【発明の属する技術分野】
この発明はスクワットに匹敵する運動、リハビリレーションのトレーニングに用いるトレーニングシューズ底及びこれを用いたトレーニング靴に関する。
【０００２】
【従来の技術】
従来アキレス腱及びヒラメ筋を鍛える目的のトレーニングシューズとして、図１１に示す踵が接地しないようにしたものが知られている。或いは靴底に錘を入れたものが知られている。
しかし、前者のものは長時間使用すると過度の負荷のため、アキレス腱を損傷しかねない。
また、錘を靴底全体に埋設したものは、足を引き上げる筋肉は鍛えられるが、踏ん張る力やキック力のトレーニングには余り効果が期待出来ない。
最近本件出願人によって発表されたブロッキングウォーク法は歩行時に、先ず滑らかに踵から踏み出し、滑らかに靴底全体を接地させ、次ぎに拇指球に垂直方向の圧力をかけ、一旦力を抜いたあと最後に、足の拇指球全部によって、踏み付けるように、運動方向へ身体を押し出し乃至フォロースルーする方法であるが、このような歩き方を行うと、ウエイトトレーニングのスクワット時と同様の筋肉に刺激を与えることが実験的に証明された。
【０００３】
【発明が解決しようとする課題】
この発明の靴底を用いたトレーニングシューズを履き、歩行するだけで、ウエイトトレーニングのスクワットと同様の筋肉に刺激を与え易い靴底、及びこれを用いたトレーニングシューズを市場に提供する。
またこの発明は前述のトレーニングの達成度合いがセンサ及び発信装置の信号より、その都度確認出来るようにするためである。
また、前記のトレーニングの達成度合いを物理的な靴底の変形によっても確認できるようにするためである。
【０００４】
【課題を解決するための手段】
前記の課題を達成するためにこの発明は、弾性合成ゴム製の靴底の踵後面から底面に至り曲率半径が２乃至６ｃｍの靴底の幅方向に軸線のある２次元曲面部が形成してあり、前記靴底のうち拇指球部下底面層に於いては、その周りの靴底と異なる弾性の弾性体としてあることを特徴とするトレーニングシューズ用靴底とする。
【０００５】
前述の２次元曲面部は数学的な厳格な意味ではなく、踵部において側面から見て、踵の後面から底面に至り、略１／８乃至１／４円弧であり、これより底面側に滑らかにつらなる凸面であればよく、靴底の左右方向にも、下側に凸に僅かに湾曲していても、請求項１記載の発明の概念に含まれる。
【０００６】
また前記の課題を達成するためにこの発明のトレーニングシューズ用靴底の前記異なる弾性の弾性体は靴底の他の部分より柔らかな弾性体であることを特徴とすることが好ましい。
【０００７】
また前記の課題を達成するためにこの発明のトレーニングシューズ用靴底の前記靴底の拇指球部下においては、外方に滑らかな半球乃至円錐台形、横断方向の半円柱形のうちの一種の形状の隆起部が形成してあることを特徴とする場合もある。
【０００８】
また前記の課題を達成するためにこの発明のトレーニングシューズ用靴底の前記靴底全体は合成ゴム製であって、前記踵部前半乃至土踏まず部に第１の空洞がまた拇指球部下より爪先部にわたり第２の空洞が形成してあり、これら二つの第１及び第２の空洞は断面積が狭く変形した少なくとも一つのくびれ連通路で連通させてあり、これら第１及び第２の空洞内には、流体、常温可塑材、泥状材の一種（以下単に流体などと云う）が封入してあることを特徴とする場合もある。
【０００９】
また前記の課題を達成するためにこの発明のトレーニングシューズ用靴底の前記靴底と前記弾性体は別部材で形成してあり、これらは相対的に着脱可能に設けたことを特徴とする特徴とする場合もある。着脱可能の形式については特に限定はない。
【００１０】
また前記の課題を達成するためにこの発明のトレーニングシューズ用靴底の前記靴底と一体乃至別部材よりなる前記弾性体は合成ゴム、合成ゴムスポンジ、内部に空洞を設けた空気バネ型の合成ゴム、内部に金属製乃至合成樹脂製のバネを入れた合成ゴムのうちの一種、内部に金属製乃至合成樹脂製のバネをサンドイッチ型に装填した合成樹脂成形品のうちの一種であることを特徴とする場合もある。
【００１１】
また前記の課題を達成するためにこの発明のトレーニングシューズ用靴底の前記着脱可能な別部材よりなる弾性体は耐変形圧力の異なるものが一足の靴底に対し、２組み以上組合せてあることを特徴とする場合もある。
【００１２】
また前記の課題を達成するためにこの発明のトレーニングシューズ用靴底の前記着脱可能な別部材よりなる弾性体は重さの異なるものが一足の靴底に対し、２組み以上組合せてあることを特徴とする場合もある。
【００１３】
また前記の課題を達成するためにこの発明のトレーニングシューズ用靴底の前記靴底の前記靴底の拇指球部下を空洞の空気室とし、所定衝撃的荷重以上の圧力により空気室中の空気が外部に吐出する吐出口を設け、この吐出口に前記吐出空気流により吹鳴される笛によって構成してあり、前記空気室には前記吐出口と別個の逆止弁付きの吸気口が設けてあることを特徴とする場合もある。
【００１４】
また前記の課題を達成するためにこの発明のトレーニングシューズ用靴底を用いた靴としてあることを特徴とする。
また前記の課題を達成するためにこの発明のトレーニングシューズの弾性合成ゴム製の靴底を有し、靴底の拇指球部下の底面部はそれを取り囲む周りの靴底底面部と異なる弾性を有する弾性体で構成されてなることを特徴とする。
【００１５】
発明の作用
請求項１記載の発明のトレーニングシューズ底を用いて、トレーニングシューズを製造する。このようにすると、請求項１０記載の発明となり、この靴を履き、通常の歩行を行うと、先ず踏み出したとき、前記２次元曲面部の踵の後面側が接地し、前方への体重の移動に伴い、この２次元曲面部は底面側に転動し、続いて靴底の底面が接し、体重が前方に移動し、靴底の一部である拇指球まで体重の移動が滑らかになり、その過程において足底に衝撃を与えず、拇指球まで体重が移動すると、使用者の足に弾性の異なる弾性体部分による体重の移動が拇子球部に移動したことを認識させる。
この弾性の変化を合図として、一気に地面を踏み付け、この部分に垂直荷重を与える。
更に靴を後方に押出し、靴底の拇指球部下の全部に圧縮荷重をかけて使用する。
【００１６】
この過程において使用者の下脚のヒラメ筋、腓腹筋、大腿二頭筋及び、四頭筋、延いては大臀筋、広背筋及び腹直筋に刺激を繰返し与え、かつこれらの筋に弾性的変位を繰返し与え、ウエイトトレーニングのスクワットに相当する筋肉のトレーニングが歩行によって得られる作用をなす。
【００１７】
請求項２記載の発明に於いては、殊に前述の作用の他、拇指球部下の弾性が他の靴底部分より柔らかい弾性体であるから、踏み込み時により大きく弾性変形し、その変形度合いにより、踏み込み荷重の確認が在る程度出来る作用をなす。
【００１８】
請求項３記載の発明に於いては、殊に前述の作用の他、拇指球部下の形状が滑らかな半球乃至円錐台形状としてある場合は、左右へ自由に傾斜するため、この反作用として、使用者に左右のバランスを維持しようとし、下肢の両側筋に刺激を与える作用をなす。
また、２次円柱面の場合は左右への傾動はなく、拇指球部下分での左右への転動なく安定する作用をなす。
【００１９】
請求項４記載の発明に於いては、前述の作用のほか、無負荷状態においては、靴底の弾性ゴムの復元力によって、正常な形状となっており、二つの空洞部の圧力は等しく、くびれ連通路は狭くなっているか、或いは全く閉じた状態となっている。
【００２０】
更に請求項４記載の発明に於いては、踵部分ら踏み込むと、踵部前方の第１の空洞部内の流体などに圧力が作用し、この第１の空洞内の液体などは少なくとも一つのくびれ連通路を通って、爪先球部分の第２の空洞に流入し、この爪先部の重量が重くなり、自然に拇指球部下を踏み込む力に加算され、拇指球部下を踏み込む後、拇指球全部で踏み出すとき、第２の空洞に圧力を受け、内部流体などは再び前記連通路を通って、第１の空洞に逆流する。
【００２１】
この時のその流体などの変位の感触が踏み込みの確認信号として、この靴の着用者に伝達される。
而して、再び踵部が重くなり、踵からの踏み出しが軽快となる。また前記の内部の流体などの移動により、一種の緩衝作用をなす。
また内部の流体などの比重が重い程、前述の作用は運動負荷は大きくなる。
【００２２】
請求項５記載の発明に於いては、請求項１、２または３記載の発明の作用ほか、拇指球部下の弾性体は靴底と別部材によって構成され、かつこれらは着脱可能としてあるから、利用者のトレーニング強度に合わせて、拇指球部下の反発力の強弱が選定出来るし、この部分が損耗すれば新しいものと交換できる作用をなす。この着脱自在の構造については特に限定はない。
【００２３】
請求項６記載の発明に於いては、前述の作用の他、前記靴底は前述の通りの構成で在るから、拇指球部下を踏み込んだ時に、其の変形の終端によって、所期圧力達成確認が可能となる。
特に隆起部内に板バネが埋設して在るものおいては、この板バネの変形終端が一種の軽い衝突的衝撃となり、所期圧力確認が容易となる作用をなす。
【００２４】
請求項７又は８に於いては、請求項５記載の発明の作用のほか、着脱自在の弾性体は前述の通り、弾性力の異なるもの、又は重さの異なるが数組みずつ装備してあるから、トレーニング強度に応じて取替えてトレーニングができる作用をなす。
【００２５】
請求項９記載の発明に於いては、前述の作用の他、前記発信装置は隆起部内を空洞とし、所定荷重以上の圧力により空洞中の空気が外部に吐出する吐出口を設け、この吐出口に前記吐出空気流により吹鳴される笛によって構成してあり、前記空洞には逆止弁付きの吸気口が設けてあることを特徴とするものであるから、歩行によって、前記圧力が所期の値に達すれば笛が鳴り、その運動強度を容易に知ることが出来、特に複雑な装置や電子機器を要せず、製造コストも低く押さえられる。
【００２６】
請求項１０記載の発明に於いては、前述の各請求項記載の発明の靴底を取り付けた靴であるからその効果はそれぞれ前述の通りである。
請求項１１においては請求項２記載の発明と同様の作用をなす。
【００２７】
【発明の実施の形態】
実施の形態１
図１に示すものであり、請求項１及び１０記載の発明の実施の形態である。
図１において、２０は靴底であり、全体として合成ゴム製であり、靴甲皮５０と一体化してトレーニングシューズＡとしてある。前記靴底２０の踵部２１の後面起立部２２から底面２３に至り、横断方向に畝のある２次元曲面部２４が形成してあり、この２次元曲面部２４の曲率半径Ｒ１は２乃至６ｃｍとしてある。
この曲率半径Ｒ１は２ｃｍより小さいと踵部２１の転動が円滑でなく、６ｃｍより大きいと、靴底の厚みが大きくなり過ぎ実用的ではない。２次元曲面部２４の長さは図示では１／４円弧程度としたが、踵部２１の底面２３から後方に実質的に接地する部分は１／８円弧相当であるから、この程度の長さの２次元曲面部２４が底面２３から踵後面起立面２２にかけてあれば実用上充分である。
【００２８】
この発明の靴底２０は通常のトレーニングシューズと同様な材質でよく、通常のトレーニングシューズより厚みが大であるから、軽量なものが好ましく、従来公知のものと同様に、表面は耐摩耗性があり、内部は軽量でやや硬めのスポンジ発泡体２６等が好ましい。また靴底の材質によっては内部が空洞のものでも、この発明の靴底２０の概念に含まれる。
【００２９】
靴底２０の拇指球部下２７にはこの周りの靴底２０とは弾性の異なる弾性体２５が埋設してある。この平面形状は円形、楕円、四角、その他の不定形であってもよく、また弾性体の厚みは０．５乃至２ｃｍとしてある。この実施の形態１においては、靴底２０は例えば総重量約３００ｋｇ乃至１，０００ｋｇで１乃至２ｍｍ圧縮変形するもので、前記弾性体２５部分においては、１５０ｋｇ乃至５００ｋｇの荷重で５ｍｍ程度圧縮変形するものである。これら耐圧縮変形の数値には例示であって、限定的な意味はない。
この柔らかな弾性体２５は靴底２０全体と一体成形したものでも、別個に成形し、適当な固着手段によって、例えば接着剤若しくはインサート成形で両者が固着してあるものでも、この実施の形態の範囲に入る。
【００３０】
実施の形態１の作用
この発明の靴底２０を用いたトレーニングシューズを履き、歩行すると、先ず踵部２１の２次元曲面部２４から踏み出し、次第に体重を前方に移動すると、滑らかに転動し、底面２３まで転動し、遂にはその接地部分は靴底２０の前方拇指球部２２まで滑らかに移動する。
この部分に達すると、弾性体２５の弾性が異なるから、使用者に拇指球部２７が接地面となったことを認識させる作用をなす。
【００３１】
次ぎに利用者は接地部を垂直に踏み付け、一度脱力し、再び後方へ踏み付けながら押し出す。
この時利用者の足、及び腰にスクワット時と同様の筋肉に刺激を与える。
【００３２】
実施の形態２
図２に示すものであり、請求項２及び１０記載の発明を含む実施の形態である。他の実施例と同一符号のところは同一の構成部分を示すものであり、同一の作用を奏する。
前記拇指球部下２７は若干下方に半球、円錐台、半円柱形状の一つの隆起部２８が一体に形成して内部にスボンジなど柔らかい弾性体２５が埋設してある。
この弾性体２５を埋設した隆起部２８の大きさは、拇指球部下２７のみでもよいが、図２に例示するものより、もう少し後方に長く、土踏部分から、拇指球部下まであっても、この実施の形態に含まれる。
【００３３】
実施の形態２の作用
この実施の形態においては概ね実施の形態１と同様な作用をなす。異なるところは、拇指球部下２７まで靴底２０が転動すると、拇指球部下２７が隆起部２８となっているから、靴底２０がこの部分まで転動したことが直ちに感触として伝わり、次ぎに、この隆起部２８を踏み付け平坦にすることで、拇指球部下２７に加えた荷重の達成が確認出来る作用をなす。
【００３４】
実施の形態３
図３に示すものであって、請求項２、３、５、６、７、８、１０、１１記載の発明を含むものである。
実施の形態２に弾性体２５の部分が靴底２０とは別の独立した別部材２５ａとしたものであり、靴底２０の拇指球部下２７に設けた嵌合窪み２９に着脱可能（カセット型）に独立した別部材２５ａが蟻溝構造によて嵌合させてある。
靴底２０と別部材２５ａは共に通常合成ゴム製としてあり、別部材２５ａは内部はウレタンゴムよりなる発泡体としてあって、靴底２０の弾性よりは柔らかい特性を持つ弾性体を用いている。例えばこの弾性体２５部分に２５０ｋｇの荷重を加えると扁平につぶれる程度の弾力としてある。
【００３５】
この別部材２５ａとしては、合成ゴム２５ｂだけでなく、内部に図５のａ乃至ｄに示す皿バネ３０、座バネ３１、樋形状の板バネ３２などの板形状バネ、若しくは圧縮コイルバネ３４を複合的に用いたものでも（図４参照）、或いは図示してないが単に内部に空洞を設けたエアクッションもこの発明の実施の形態に含まれる。図５中、３３は皿バネ３０、板バネ３２の上下面に沿えた硬質の金属又は硬質合成樹脂板である。或いは板バネ３２、圧縮コイルバネ３４の上下を合成樹脂成形品よりなるカバー３５で被覆したものでも、この実施の形態の弾性体２５よりなる別部材２５ａの範囲である。
【００３６】
この別部材２５ａは例えば１００ｋｇ、１２０ｋｇ、１４０ｋｇ、２００ｋｇ及び２５０のｇなどの圧縮荷重によって、それぞれ変形するものを予め数種類一足のトレーニングシューズＡに対してアタッチメントとして用意してある。
【００３７】
この別部材２５ａの接地面は、半球型、円錐台型、半円柱型、などに突出させてあり、その形状自体に限定はない。亦平面形状も円形、楕円、長方形、若しくは不定形などその形状に特に限定はない。
【００３８】
実施の形態３の作用
前記別部材２５ａを靴底２０の嵌合窪み２９に一旦掛合させると、この別部材２５ａに加えられる荷重ではみだりに嵌合が外れることはない。別部材２５ａの嵌合乃至固着の手段としては蟻溝構造の外、ねじ込み型、スワンベース型填め込み型、ビス止めなど、その手段を問わない。
嵌合状態に於いては、実施の形態２と同様の作用をなす。
トレーニングの度合いに応じ、弾性力の異なるものと交換する。
内部に皿バネ３０、座バネ３１、板バネ３２、圧縮コイルバネ３４（図５のｄ参照）などを埋設乃至封入したものにおいては、これら硬質のバネの変形終端の軽い衝撃振動が使用者の足に感触として伝播する。
【００３９】
実施の形態４
図６に示すものであり、請求項１、２、３、５及び１０記載の発明を含む実施の形態である。この実施の形態においては、実施の形態３と異なるところは、前記別部材２５ａよりなる弾性体２５の周りの靴底の底面２３の弾性底面層２３ａは前記弾性体２５よりも柔らかいスポンジなどよりなり、大凡踵部２１の前半から爪先部２８まで拇指球部下２７の弾性体２５が着脱可能にしてある部分が最も厚みが大で、略弾性体２５と面一としてあり、前後端に至るほど厚みが薄くなり、それぞれ弾性底面層２３ａの前後端に於いて厚みは薄くなって、靴底本体部２０ａと一体に結合してある。その他、弾性体２５の構造については、実施の形態３に示す別部材２５ａを用いる。
【００４０】
実施の形態４の作用
踵部２２より踏み込み２次元曲面部２より床乃至地面を転動させ、重心が踵部２２を過ぎ土踏まず部に達すると、靴底２０の弾性底面層２３ａが接地し、この部分が圧縮され、体重の移動が前記拇指球部下２７に達すると、弾性底面層２３ａより若干硬い弾性体２５が使用者の拇指球部に異物感として伝わり、身体の重心が拇指球部に達したこと認識させる作用をなす。
而して、この時点で弾性体２５が完全に圧縮され、潰れるまで踏み付ける。その他実施の形態３と同様の作用をなす。
【００４１】
実施の形態５
靴底２０の踵部２１よりやや前の土踏まず４６乃至拇指球部下２７までの間内に第１の空洞３６が、また拇指球部下２７乃至爪先２８内に第２の空洞３７が設けてあり、両者は狭い少なくとも２本のくびれ連通路３８で連通させてある。
【００４２】
前記第１及び第２の空洞３６、３７には流体などの一種である無機質粉末混入の油Ｐが密封してある。封入流体は比重の大きいものが好ましいが、入手し易く、洩れた場合も安全な水、ゼラチンなどであってもよく、或いは泥状物、樹脂粘土など常温で可塑性を有するものでもよく、特に限定はない。その他実施の形態１、２又は４と同一符号のところは同一の構成部分を示す。
【００４３】
実施の形態５の作用
この実施の形態の構造の靴底２０を用いたトレーニングシューズにおいては、踵２１より踏み出すと、第１の空洞３６に圧力を受け、この部分の内部の流体などＰは連通路３８を押し開いて、爪先の第２の空洞３７に流入し、この部分が大きくなり、且つ重くなる。
【００４４】
従って、前記の靴底２０の隆起部３０の転動速度は早くなり、次ぎに拇指球部２２を踏み込むと、前記第２の空洞３７は圧迫され、その中の流体などはＰは逆流し、その体積減少により、利用者は拇指球部下２７に加えた圧力を充分に確認出来る作用をなす。
また再び踵部２１の第１の空洞３６は大きくなり、次ぎの踏み出し時に充分な緩衝作用をなす。
つまり、歩行の度に、内部の流体は第１の空洞３６内と第２の空洞３７内を往復し、流体などＰの移動は、その感触が足に伝わり、接地圧の度合いの確認が出来る一種のセンサの役目をなし、トレーニング効果を向上させるのに寄与する。
【００４５】
実施の形態６
請求項８記載の発明を含むものであり、前述の実施の形態３の別部材２５ａが数組み用意してあるものに於いて、弾力はそれぞれ等しく、重さのみが段階的に異なるものが数組み設けたものである。例えば５００ｇ、１Ｋｇ、１．５ｋｇ、２ｋｇの重さにしてある。
【００４６】
実施の形態６の作用
重い別部材２５ａを嵌合窪み２９に填め込めば、踵部２１から拇指球部下２７までの転動速度は速くなり、踏み押出し後の脚の引上げに荷重を与える作用をなす。
【００４７】
実施の形態３乃至６において、別部材２５ａは、拇指球部２７のみに限定されず拇指球部下２７から踵部２１まで連なっていても、前記請求項７又は８記載の発明の実施の形態に含まれる。
また踵部２１にも付加的に、別部材２５ａがカセット型に装備してあっても、これらの発明の実施の形態に含まれる。
【００４８】
実施の形態７
図９及び図１０に示すものであって、請求項９及び１０記載の発明を含む実施の形態である。
前記の他の実施の形態と同一符号ところは、同一の構成部分であり、同一の作用をなす。
異なるところは拇指球部下２７は空洞の空気室３９となっていて、その一部には空気吐出口４０には吹笛４１が設けてあり、吹笛４１の内側には圧力調整弁４２が設けてある。他方４３は前記空気室３９に通じる空気吸入孔であり、逆止弁４４が設けてあり、靴底２０の弾性復元力により、空気室３９は膨らみ、外気を吸い込む。前記の隆起部２８に圧力が加えられたときには空気室３９内の圧力が外気より高くなり逆止弁４２は閉じる。
【００４９】
実施の形態７の作用
空洞の空気室３７の圧力が設定圧力以上になると、この中の空気は圧力調整弁４０を押し開き吹笛４１を通過して、外部に放出される。この時吹笛４１は吹音を発する。
また、圧力調整弁４２の設定圧力を靴底外部から、ドライバーなどで圧力調整ネジ４５を調整すれば、踏み込み圧力が変更でき、前記設定圧力を越えた時にのみ吹音を発することになる。
従って、トレーニングに対応した圧力の達成が吹笛４１の吹音によって確認出来る作用をなす。
【００５０】
前述の圧力調整弁４２はその設定値が変更可能なものが好ましいが、圧力の設定値が異なる圧力弁（図示してない）を２種以上設けておき、更に切り替え弁（図示してない）を設けて、これを切り替えて使用し、前記２個以上の圧力弁のうちの一個を使用するものも、前記圧力調整弁４２と均等の範囲とする。
【００５１】
各実施の形態を示す図に於いては、底面２３を滑らかに図示したが、通常の靴底２０同様に滑り止めの凹凸、土踏まず部に窪みが形成してあっても、この出願の何れの請求項記載の発明の実施の形態に含まれる。
また靴の形式はスニーカーが好ましいが、草履型、サンダル型、編み上げ靴型、オーバーシューズ型或いはブーツ型であってもこの発明の実施の形態の範囲である。
【００５２】
【発明の効果】
請求項１記載の発明においては、前述の通りに構成し、作用をなすから、この靴底を用いた靴を履いて、歩行すれば踵部から拇指球部においては、容易かつ滑らかに接地面に対し転動し、次いで拇指球部下に於いて、靴底はその周辺と弾性の異なる弾性体で形成してあるから、使用者に拇指球部に重心が移動したことを確実に認識させ、この位置において、正確な踏み付けと後方への押し蹴り出しを、容易にでき、ウエイトトレーニングのスクワットの時と同様の筋肉に刺激を容易に与えられ、運動競技者の筋力向上は勿論、一般人の体力維持、リハビリテーションにも利用出来る効果を有する。更に、このシューズを用い、拇指球圧力を意識的に高め、更にキックを強くすれば、その効果は更に顕著となる。
【００５３】
請求項２記載の発明に於いては、請求項１記載の効果の他、拇指球部下にある弾性体の部分が他の部分より柔らかい弾性であるから、この部分を弾性変形させることで、所期の圧力を加えた確認ができる。
【００５４】
請求項３記載の発明に於いては、請求項１、２記載の効果の他、前記弾性体部分が、多少突出しているから、接地部が拇指球部下に達したことが、より顕著認識出来、この突出部の弾性体部分を踏み付けて扁平にすることで、その圧力が所期の圧力に達したことを確認出来る効果を有する。
【００５５】
請求項３記載の発明においては、前述の通りに構成し、作用をなすから、請求項２記載の発明の効果のほか、隆起部が半球形状又は円錐台形状のものにおいては、左右にも傾斜可能であるから、足脛側筋、大腿外転筋、同内転筋にも刺激を与える効果を有する。また隆起部が完全に平坦になるまでの踏み付けることよって、その都度所定圧が達成されたことが確認出来る効果を有する。
【００５６】
請求項４記載の発明においては、前述の通りに構成し、作用をなすから、請求項１、２記載の発明のほか、内部の流体などが歩行の圧力に応じ、前後に移動して、その結果靴の重心が前後に移動し、前述の歩行動作が加速され、一層トレーニング効果が顕著となる。
【００５７】
請求項５記載の発明においては、前述の通りに構成し、作用をなすから、請求項２又は３記載の発明ほか、弾性体が別部材であるから、損耗した場合は新しいものと交換出来る。
請求項６記載の発明に於いては、弾性体の構成は前述の通りであり、全体が合成ゴム製の場合は構造も簡単で、故障なく取扱易い。
内部に皿バネ、座バネ、板バネコイルスプリング等を装備した別部材たる弾性体の場合は、これらバネの変形終端の軽い衝突感覚が、所期圧力の達成確認となる効果を有する。
請求項７記載の発明においては、前述の通りに構成し、作用をなすから、請求項２又は３記載の発明ほか、隆起部が別部材であり、また弾力の異なるものが、数組みアタッチメントとして装備したものであるから、トレーニングの程度に応じて、別部材を交換して使用すれば一層のトレーニング効果が得られる。
【００５８】
請求項８記載の発明においては、前述の通りに構成し、作用をなすから、別部材が重さ異なるものが数組みアタットメントとして装備してあるから、トレーニングの程度に応じて、別部材を交換して使用すれば一層のトレーニング効果が得られる。
【００５９】
請求項９記載の発明においては、前述の通りに構成し、作用をなすから、請求項１、２及び３記載の効果のほか、拇指球部に加える荷重の達成が吹笛の吹音によつて確認できる。拇指球部下に加える力を除去すれば、靴底自体の持つ復元力により、空気室には吸入孔の逆止弁を押し開いて、空気室には外気が吸い込まれ、拇子球部を踏み付けられる毎に、前記笛は吹鳴を発し、踏み付け圧の達成が確認出来る。
【００６０】
請求項１０記載の発明においては、前述の通りに構成し、作用をなすから、請求項１、２、３、４、５、６、７，８又は９の靴底を靴に用いたときと同じ効果を奏する。
請求項１１記載の発明においては拇指球部下の靴底の変形は他と弾性変形係数が異なるから、請求項１記載の変形確認と同様の確認ができる。
【図面の簡単な説明】
【図１】実施の形態１の縦断側面図である。
【図２】実施の形態２の一部縦断側面図である。
【図３】実施の形態３の縦断側面図である。
【図４】ａは実施の形態３に用いる別部材の弾性体に皿バネを埋設した一例の縦断側面図である。
【図５】ａは皿バネ部分の縦断側面図である。ｂは座バネの平面図である。ｃは板バネの一例の側面図である。ｃは板バネの側面図である。ｄは実施の形態３に用いるコイルバネを用いた別部材の縦断側面図である。
【図６】実施の形態４の縦断側面図である。
【図７】実施の形態５の別部材の一例を示す一部縦断側面図である。
【図８】図７の一部横断平面図である。
【図９】図８の実施の形態７の一部縦断側面図である。
【図１０】図９の一部横断平面図である。
【図１１】先行技術のトレーニングシューズの側面図である。
【符号の説明】
２０      靴底
２１      踵部
２２      ２次元曲面部
２３      底面
２５      弾性体
２５ａ    別部材
２７      母子球部下
２８      隆起部